(57)【要約】      （修正有）【課題】カバー部材がベースプレートにロック保持された状態であるか否かを外部から分かるカードコネクタの提供。【解決手段】カードコネクタ１が、ベースプレート１０と、ベースプレート１０に上下に揺動可能に支持されたシェル２０とを備え、シェル２０がベースプレート１０にロック保持されるロック保持位置とロックが解除されて上方に揺動可能な解除位置との間で前後方向にスライド移動可能である。シェル２０には、ロック状態表示孔２５が形成され、ベースプレート１０にはロック状態表示孔２５を通して視認可能なロック状態表示突起１８が形成されている。シェル２０がロック保持位置に位置しているときにロック状態表示突起１８がロック保持位置を表示し、シェル２０が解除位置に位置しているときにロック状態表示突起１８が解除位置を表示する。【選択図】図１
0003116344.tif 000002
【実用新案登録請求の範囲】
【請求項１】
コンタクトが設けられたベースプレートと、後端側が前記ベースプレートに上下に揺動可能に支持されたカバー部材とを備え、
前記カバー部材を前記ベースプレートと略平行に倒伏させた倒伏姿勢で前記ベースプレート上に受容されたメモリカードに設けられたカード側端子と前記コンタクトとを当接接触させるように構成されたカードコネクタであって、
前記カバー部材が、前記倒伏姿勢の状態で、前記ベースプレートにロック保持されるロック保持位置とロックが解除されて上方に揺動可能な解除位置との間で前後方向にスライド移動可能に構成され、
前記ロック保持位置および前記解除位置のいずれかの移動位置に前記カバー部材が位置していることを表示するロック状態表示部が設けられていることを特徴とするカードコネクタ。
【請求項２】
前記カバー部材のスライド移動による前記ベースプレートに対する相対位置の違いに基づいて前記カバー部材の前記移動位置が表示されることを特徴とする請求項１に記載のカードコネクタ。
【請求項３】
前記ロック状態表示部が、前記カバー部材に形成された表示孔と、
前記ベースプレートに形成され前記倒伏姿勢の状態で前記カバー部材の前記表示孔を通して前記ロック保持位置および前記解除位置の少なくともいずれかにおいて視認可能なロック状態表示突起とを有して構成され、
前記カバー部材のスライド移動により前記表示孔が前記ロック状態表示突起に対して相対移動して前記ロック状態表示突起が前記ロック保持位置および前記解除位置の少なくともいずれかを前記表示孔を通して表示することを特徴とする請求項２に記載のカードコネクタ。
【請求項４】
ロック状態表示突起が前記ロック保持位置および前記解除位置において視認可能であり、
前記カバー部材が前記ロック保持位置に位置しているときに前記ロック状態表示突起が前記ロック保持位置を表示し、
前記カバー部材が前記解除位置に位置しているときに前記ロック状態表示突起が前記解除位置を表示することを特徴とする請求項３に記載のカードコネクタ。
【考案の詳細な説明】
【技術分野】
【０００１】
本考案は、カードコネクタに関し、詳細には、メモリカード等からなるカード状の情報記録媒体と接触して情報読み取りを行うカードコネクタに関する。
【背景技術】
【０００２】
パーソナルコンピュータやその周辺機器をはじめとする電子機器等において、情報を記憶するためのメモリデバイスとして、切手大のスモールメモリカード（具体的にはＳＤカードやＭＳカード等である。以下、メモリカードと称する）が重要な役割を果たしている。このようなメモリカードは、一般にカードコネクタを介して電気機器に接続されている。
【０００３】
このようなカードコネクタの一例として、コンタクト（接触端子）が設けられたベースプレートに対してカバー部材（シェル）が揺動開閉自在に取り付けられてこのカバー部材がメモリカードを覆うように保持する構成のものがある。このようなカードコネクタは、メモリカードを一旦カバー部材に取り付け、このカバー部材を揺動させてカード側端子とコンタクトとを接触させる構成であったり、ベースプレート上にメモリカードを載置してからメモリカードに被せるようにカバー部材を揺動させてカード側端子とコンタクトとを接触させる構成であるものが知られている。
【考案の開示】
【考案が解決しようとする課題】
【０００４】
いずれにしても、上記のような構成のカードコネクタは、カバー部材をベースプレートと略平行な状態まで倒伏させた上で、カバー部材をベースプレートに対してスライド移動させ、カバー部材をベースプレートに係合させてベースプレートにロック保持させるようになっている。このようにしてメモリカードはそのカード側端子がコンタクトの接触部と適切な接触圧で当接接触し、ベースプレート上に係止保持される。そして、メモリカードの取り外し時には、カバー部材をメモリカードの装着時とは反対方向にスライド移動させてロックを解除することで、カバー部材がコンタクトの接触圧で開き、メモリカードを取り出すことができる。
【０００５】
ところで、上記のようなメモリカードを覆うカバー部材がベースプレートに係止保持されるような構成の場合、カバー部材がロック保持されている状態であるのに、これに気付かずにカバー部材を開けようとしてカバー部材が破損するといった事態を防止するため、カバー部材がベースプレートと略平行に倒伏しているときに、カバー部材がベースプレートにロック保持された状態であるか、それともロック保持が解除されて揺動開放させることができる状態であるかを外部から認識可能にすることは有用である。
【０００６】
以上のような課題に鑑みて、本考案では、カードコネクタを構成するカバー部材がベースプレートにロック保持された状態であるか否かを外部から視認可能なカードコネクタを提供することを目的とする。
【課題を解決するための手段】
【０００７】
前記課題を解決するために本考案に係るカードコネクタは、コンタクトが設けられたベースプレートと、後端側がベースプレートに上下に揺動可能に支持されたカバー部材（例えば、実施形態におけるシェル２０）とを備え、カバー部材をベースプレートと略平行に倒伏させた倒伏姿勢でベースプレート上に受容されたメモリカードに設けられたカード側端子とコンタクトとを当接接触させるように構成され、カバー部材が、倒伏姿勢の状態で、ベースプレートにロック保持されるロック保持位置とロックが解除されて上方に揺動可能な解除位置との間で前後方向にスライド移動可能に構成され、ロック保持位置および解除位置のいずれかの移動位置にカバー部材が位置していることを表示するロック状態表示部（例えば、実施形態におけるロック状態表示突起１８およびロック状態表示孔２５）が設けられている。
【０００８】
また、上記構成のカードコネクタにおいて、カバー部材のスライド移動によるベースプレートに対する相対位置の違いに基づいてカバー部材の移動位置が表示されるのが好ましい。
【０００９】
また、上記構成のカードコネクタにおいて、ロック状態表示部が、カバー部材に形成された表示孔（例えば、実施形態におけるロック状態表示孔２５）と、ベースプレートに形成され倒伏姿勢の状態でカバー部材の表示孔を通してロック保持位置および解除位置の少なくともいずれかにおいて視認可能なロック状態表示突起とを有して構成され、カバー部材のスライド移動により表示孔がロック状態表示突起に対して相対移動してロック状態表示突起がロック保持位置および解除位置の少なくともいずれかを表示孔を通して表示するのが好ましい。
【００１０】
さらに、上記構成のカードコネクタにおいて、ロック状態表示突起がロック保持位置および解除位置において視認可能であり、カバー部材がロック保持位置に位置しているときにロック状態表示突起がロック保持位置を表示し、カバー部材が解除位置に位置しているときにロック状態表示突起が解除位置を表示するのが好ましい。
【考案の効果】
【００１１】
本考案に関するカードコネクタによれば、カードコネクタを構成するカバー部材に表示孔が形成され、ベースプレートにロック状態表示突起が形成されて、カバー部材がベースプレートにロック保持された状態であるか、それともロック保持が解除されて揺動開放させることができる状態であるかを外部から視認可能に構成されているため、カバー部材がロック保持されている状態であるのに、これに気付かずにカバー部材を開けようとしてカバー部材が破損するといったこと等を防止することができる。
【考案を実施するための最良の形態】
【００１２】
ここで、本考案に係るカードコネクタの好ましい実施形態について、図１乃至図８を参照しながら詳細に説明する。なお、本明細書においては、説明の便宜上、図１中に座標軸および方向を付記する様に、前後・左右および上下を定義して説明する。
【００１３】
カードコネクタ１は、矩形平板状のベースプレート１０と、このベースプレート１０に後端側が上下に揺動およびスライド移動可能に支持されたシェル２０と、ベースプレート１０に圧入固定された複数のコンタクト３０とから構成されており、ベースプレート１０に対してシェル２０を上方に揺動させて展開させた展開姿勢でメモリカード２をベースプレート１０上に載置させ、シェル２０をベースプレート１０の上面を覆うように下方に揺動倒伏させた倒伏位置（図１（ｃ）参照）において、メモリカード２をカードコネクタ１にロック保持する形態のカードコネクタである。
【００１４】
ベースプレート１０は、例えば、ポリフェニレンサルファイド（ＰＰＳ）ポリアミドイミド（ＰＡＩ）などの電気絶縁性の樹脂材料を用いて射出成形等の成形手段により図示する形状に一体成形され、その中央から前端に、略矩形平板状の凹部基部１１ａと凹部基部１１ａより左右端が前方に延びる凹部アーム部１１ｂとを備えてなる略Ｕ字状の凹部１１を有している（図３参照）。凹部１１の後方には、凹部１１に一体に凹部１１よりも上方に隆起して略矩形平板状のプレート部１２が形成されていて、この凹部１１およびプレート部１２上にメモリカード２を受容させるように構成されている。また、このプレート部１２の後端側の左右にはシェル２０を軸支可能な側面視略円形に凹んだ軸支部１３，１３が形成されており、軸止部１３，１３からは各々ベースプレート１０の左右に凹んで略前方に延びる溝状の案内部１４，１４が形成されている。
【００１５】
ベースプレート１０の後端側であって左右両側部は、上記凹部１１やプレート部１２よりも上方に隆起した突出部１５が形成されている。また、この突出部１５の左側前部における側面は平面視で斜めに延びる突当面１５ａが形成されている。ベースプレート１０に受容されたメモリカード２は、その右側側面に形成された傾斜面部２ｂが突当面１５ａに当接することで、ベースプレート１０に対するメモリカード２の位置決めがなされる。
【００１６】
凹部基部１１ａには、左右方向に並んで所定の間隔を有する複数のコンタクト取付溝１６が形成されており、ここに複数のコンタクト３０が圧入して取り付けられている。凹部基部１１ａの後端側からプレート部１２の前部にかけて、コンタクト取付溝１６と同様に左右方向に並んで所定の間隔を有して複数のコンタクト保護溝１７が形成されており、各コンタクト３０同士の干渉を防いでいる。さらに、ベースプレート１０の下面からは、ベースプレート１０の前後左右の４箇所において補強端子４０，４０，…が各々左右方向外方に突出して設けられている。
【００１７】
平面視左側の凹部アーム部１１ｂの基端部近傍には、平面視略矩形であって凹部１１の上面から上方に突出する突起状のロック状態表示突起１８が設けられている。また、ベースプレート１０の左右両端部であって前後方向の略中部には、各々平面視略コノ字状に上下に亘って切り欠かれて凹んだ凹部１９，１９が形成されている。この凹部１９の下部からは各々前方に延びて切り欠かれた係止部１９ａ，１９ａが形成されている。
【００１８】
コンタクト３０は、コンタクト取付溝１６に固定される基部３１と、この基部３１から細長くフィンガー状に延びて一部斜め上方に折り曲げられた傾斜部３２と、コンタクトアーム部３２の先端部に形成されて上方に凸な円弧状のカード接触部３３と、基部３１から下方に屈曲および水平に折り返されて傾斜部３２と反対方向に延びるリード部３４とからなり、例えば、ベリリューム銅などの導電性金属材料の薄板を加工成形して図示する形状にした上で、金メッキや錫メッキを施したもので構成される。
【００１９】
各コンタクト３０，３０，…は、凹部基部１１ａの前後に形成されたコンタクト取付溝１６からコンタクト保護溝１７に向けて挿入され、基部３１がコンタクト取付溝１６に圧入された状態でベースプレート１０に取り付けられる。コンタクト３０は、その基部３１がコンタクト取付溝１６に固定保持されると、コンタクト保護溝１７に突出する傾斜部３２が片持ち支持された板バネのように作用し、先端のカード接触部３３が上下方向に揺動変位自在に支持される。
【００２０】
このため、カード接触部３３は無負荷時においてコンタクト保護溝１７からプレート部１２の上面に突出して位置しているが、上方から押圧されると傾斜部３２が弾性変形して下方に揺動変位し、カード接触部３３を含む傾斜部３２全体がコンタクト保護溝１７内に押し沈められるように収容される。また、基部３１から下方に屈曲および水平に折り返されたリード部３４は、コンタクト取付姿勢においてベースプレート１０の下面と略同一高さに位置しており、このリード部３４がカードコネクタ１の取付対象となる基板上の回路パターンに半田接合（サーフェースマウント）され、回路パターンとの間で電気的に導通可能となる。
【００２１】
なお、コンタクト３０のリード部３４のみによる基板への半田接合だけでは、カードコネクタ１がしっかりと確実に基板上に接合されるとは限らないため、上述の補強端子４０，４０，…の下面側と回路パターンとを半田接合することによって、より確実にカードコネクタ１が基板上に接合させることが可能であり、カードコネクタ１が基板から剥離するのを防ぐことができる。
【００２２】
シェル２０は、ベースプレート１０に対して後端側が上下に揺動可能に取り付けられ、ベースプレート１０の上面を覆う板状の略矩形の天板部２１と、天板部２１の左右両端部から下方へ折曲して延びる側板部２２とから構成されている。また、左右の側板部２２の前後方向略中部には、各々左右方向内側に折曲して延びる係合部２３，２３が形成されている。また、左右の側板部２２の後端部であってその内側には、左右に側面視略円形にボス状に突出する係合突起２４，２４が各々形成されている。これら係合突起２４，２４は、前述のベースプレート１０に形成された軸支部１３，１３に各々係合させることで、シェル２０が軸支部１３，１３を揺動中心としてベースプレート１０に対して上下に揺動することが可能であり、下方に揺動させて倒伏姿勢にさせたときにはベースプレート１０を上方から覆うような状態となる。
【００２３】
また、天板部２１であってその左端部寄りの位置に位置して、平面視略矩形状のロック状態表示孔２５が上下に貫通して形成されている。このロック状態表示孔２５は、シェル２０が下方に揺動変位した倒伏姿勢の状態でベースプレート１０を覆ったときにロック状態表示突起１８との位置が整合するように設定されていて、シェル２０が倒伏姿勢になったときには、ロック状態表示突起１８の上部がロック状態表示孔２５に嵌入される。天板部２１上であってロック状態表示孔２５の周辺には、ロックの解除状態を示す「ＵＮＬＯＣＫ」の文字と、ロック状態を示す「ＬＯＣＫ」の文字とが、ロック状態表示孔２５の縁部からの引出線や矢印とともに各々表示され、シェル２０がロック解除状態にあるのが、あるいはロック状態にあるのかを視覚的に認識できるようになっている。なお、シェル２０は、例えばステンレス鋼を材質として板材を曲げ加工および打抜加工することで成形される。
【００２４】
軸止部１３に軸支されたシェル２０は、ベースプレート１０に対して倒伏された倒伏姿勢の状態で係合突起２４を案内部１４に沿って前方に移動させることにより、倒伏姿勢の状態のまま、シェル２０をベースプレート１０に対して前方に移動させることが可能である。すなわち、シェル２０はベースプレート１０に対して開いた展開姿勢と、コンタクト３０，３０，…を上方から覆うようにベースプレート１０上に閉じた倒伏姿勢との間で上下に揺動（開閉）可能であり、且つ、シェル２０がベースプレート１０と略平行な倒伏姿勢において前後にスライド移動可能である。
【００２５】
以下では、本考案を構成するロック機構を用いた、揺動可能、且つ、スライド移動可能に支持されたシェル２０のベースプレート１０へのロック保持について説明する。シェル２０をベースプレート１０にロック保持するためのロック機構は、シェル２０に形成された係合部２３と、ベースプレート１０に形成された係止部１９ａとで構成される。
【００２６】
カードコネクタ１にメモリカード２を装着するには、まず、シェル２０を上方に展開させた展開姿勢でメモリカード２をベースプレート１０上に載置させる。このとき、メモリカード２の傾斜面部２ｂをベースプレート１０の突当面１５ａに突き合わせるようにして、メモリカード２の位置決めを行う。次いで、シェル２０を、係合突起２４を揺動中心としてベースプレート１０の上面を覆うように倒伏させる。倒伏過程においては、シェル２０は、図７（ａ）に示すように、係合突起２４を基端側としてベースプレート１０に対して略垂直に延びた状態から下方に（矢印Ｃ方向に）揺動し、図７（ｂ）に示すようにベースプレート１０に対して略平行に延びた倒伏姿勢になる。ここで、係合部２３は、ベースプレート１０に形成された凹部１９との位置が整合するように設定されていて、シェル２０が倒伏姿勢になったときには、係合部２３が凹部１９に嵌入される。
【００２７】
シェル２０が図７（ｂ）に示すような倒伏姿勢にあり、且つ、ベースプレート１０に対して後方に移動した解除位置においては、ロック状態表示突起１８はロック状態表示孔２５内において前方側の位置に位置しており（図８（ａ）参照）、このことからシェル２０はその解除位置にあることが示されて、シェル２０がベースプレート１０に対して上方に開けられる状態であることを外部から認識することができる。
【００２８】
このような状態からシェル２０をベースプレート１０に対して前方にスライド移動させると、係合部２３が係止部１９ａの奥部に向けてロック保持位置まで移動し係合部２３がこの係止部１９ａに係合する（図７（ｃ）参照）。この状態では、シェル２０を係合突起２４を中心として上方に揺動させようとしても係合部２３が係止部１９ａによって係止されているため、シェル２０の開放が規制される。すなわち、ロック機構によりシェル２０が倒伏姿勢を保持するようにロックされることになる。
【００２９】
シェル２０がロック保持されている状態では、ロック状態表示突起１８の上部はロック状態表示孔２５内において後方側の位置に位置しており（図８（ｂ）参照）、このことからシェル２０はそのロック位置にあることが示されて、シェル２０がベースプレート１０に対してロック保持された状態であることを外部から認識することができる。
【００３０】
また、このようにシェル２０がロック保持された状態では、メモリカード２の先端部の下面のカード側端子３がコンタクト３０のカード接触部３３と当接してこのカード接触部３３を下方に押し下げる。これと同時に、コンタクト３０は自身の弾性力で、カード接触部３３をメモリカード２のカード側端子３に向かって付勢する。これにより、カード側端子３とカード接触部３３とが押圧接触して電気的に接続される。
【００３１】
このようにしてカードコネクタ１に装着されたメモリカード２を取り外すときには、上記と逆の手順で行う。具体的には、まずロック保持位置にあるシェル２０をベースプレート１０に対して後方にスライド移動させてロック保持を解除させ、その後シェル２０を係合突起２４を揺動中心として上方に（矢印Ｃとは逆方向に）揺動させる。シェル２０が上方に揺動すると、メモリカード２はコンタクト３０の弾性力で上方に浮き上がる。そして、このようにして浮き上がったメモリカード２をベースプレート１０から取り出せばよい。
【００３２】
なお、本考案の範囲は必ずしも上述した実施形態に限定されるものではない。例えば、上記の実施例では、シェル２０がロック保持位置および解除位置のいずれの位置に位置している場合においても、ロック状態表示孔２５を通してロック状態表示突起１８を視認可能な構成になっていたが、シェル２０がロック保持位置に位置しているときのみロック状態表示突起１８を視認可能な構成にしたり、シェル２０が解除位置に位置しているときのみロック状態表示突起１８を視認可能な構成にしてもよい。
【００３３】
ここで、例えば、シェル２０がロック保持位置に位置しているときのみロック状態表示突起１８を視認可能な構成にした場合には、ロック状態表示突起１８が外部から見える場合にシェル２０がロック保持位置に位置しているものと認識することができ、ロック状態表示突起１８がシェル２０によって遮られて外部から見えない場合には、シェル２０が解除位置に位置しているものと認識することができる。
【００３４】
一方、シェル２０が解除位置に位置しているときのみロック状態表示突起１８を視認可能な構成にした場合には、ロック状態表示突起１８が外部から見える場合にシェル２０が解除位置に位置しているものと認識することができ、ロック状態表示突起１８がシェル２０によって遮られて外部から見えない場合には、シェル２０がロック保持位置に位置しているものと認識することができる。
【００３５】
ここで、本考案において達成される効果をまとめると下記のようになる。すなわち、本考案に関するカードコネクタは、カードコネクタを構成するカバー部材に表示孔が形成され、ベースプレートにロック状態表示突起が形成されて、カバー部材がベースプレートにロック保持された状態であるか、それともロック保持が解除されて揺動開放させることができる状態であるかを外部から視認可能に構成されているため、カバー部材がロック保持されている状態であるのに、これに気付かずにカバー部材を開けようとしてカバー部材が破損するといったこと等を防止することができる。
【図面の簡単な説明】
【００３６】
【図１】本考案に係るカードコネクタを示す図で、（ａ）は平面図で、（ｂ）は正面図で、（ｃ）は左側面図である。
【図２】上記カードコネクタの底面図である。
【図３】上記カードコネクタを構成するベースプレートおよび当該ベースプレーとに取り付けられたコンタクトを示す図で、（ａ）は平面図で、（ｂ）は正面図で、（ｃ）は背面図で、（ｄ）は左側面図である。
【図４】上記カードコネクタを構成するシェルを示す図で、（ａ）は平面図で、（ｂ）は正面図で、（ｃ）は背面図で、（ｄ）は左側面図である。
【図５】（ａ）は上記シェルの底面図で、（ｂ）は（ａ）におけるＡ−Ａ部分の左側断面図である。
【図６】上記カードコネクタの左側断面図で、上記シェルが略垂直に延びた展開姿勢にある場合を示す図である。
【図７】上記カードコネクタの左側断面図で、（ａ）は上記シェルの展開姿勢を示し、（ｂ）は上記シェルが解除位置に位置する場合の倒伏姿勢を示し、（ｃ）は上記シェルがロック保持位置に位置する場合の倒伏姿勢を示す。
【図８】（ａ）は上記シェルが解除位置に位置する状態を示す上記カードコネクタの部分平面図で、（ｂ）は上記シェルがロック保持位置に位置する状態を示す上記カードコネクタの部分平面図で、（ｃ）は（ａ）におけるＢ−Ｂ部分の断面図である。
【符号の説明】
【００３７】
１  カードコネクタ
２  メモリカード
１０  ベースプレート
１８  ロック状態表示突起
１９  凹部
１９ａ  係止部
２０  シェル（カバー部材）
２３  係合部
２５  ロック状態表示孔（表示孔）
３０  コンタクト
【図１】
0003116344.tif 000003
【図２】
0003116344.tif 000004
【図３】
0003116344.tif 000005
【図４】
0003116344.tif 000006
【図５】
0003116344.tif 000007
【図６】
0003116344.tif 000008
【図７】
0003116344.tif 000009
【図８】
0003116344.tif 000010